(57)【要約】【課題】体液を成分検出部に過不足なく供給することができる成分測定装置を提供すること。【解決手段】成分測定装置１は、血液を導入する導入口３２２を有し、導入口３２２から導入された血液が通過するチューブ３２と、チューブ３２を通過した血液中のブドウ糖を検出する試験紙３３と、チューブ３２および試験紙３３をそれぞれ支持するチップ本体３１とを有するチップ３と、チップ３が装着される装着部２１と、試験紙３３で検出されたブドウ糖を測定する測定手段４と、チューブ３２の途中で、チューブ３２に流入した血液の通過を一時的に阻止する通過阻止手段（撥水層３６）と、通過阻止手段と異なる位置に設けられ、チューブ３２をその径方向に圧縮する流路圧縮手段７とを備えている。【選択図】図２
2008082898.tif 000002
【特許請求の範囲】
【請求項１】
体液の導入口と流出口とを有し、前記導入口から導入された体液が通過する管状の体液流路と、該体液流路を通過し前記流出口から流出する体液が供給され、該体液中の所定成分を検出する成分検出部と、前記体液流路および前記成分検出部をそれぞれ支持する支持部と、前記体液流路の流出口付近に設けられ、該体液流路に流入した体液の通過を一時的に阻止する通過阻止手段とを有する体液採取具と、
前記体液採取具が設置される設置部と、
前記成分検出部で検出された前記所定成分の量および／または性質を測定する測定手段と、
前記体液流路の少なくとも前記導入口と体液が前記通過阻止手段によって阻止される部分との間を、前記体液流路の径方向に圧縮する流路圧縮手段とを備えることを特徴とする成分測定装置。
【請求項２】
前記流路圧縮手段の作動により、前記体液流路内の体液が、該体液流路の体液が前記通過阻止手段によって阻止される部分を超えて前記成分検出部に供給されるよう構成されている請求項１に記載の成分測定装置。
【請求項３】
前記体液流路は、変形可能な管体で構成されている請求項１または２に記載の成分測定装置。
【請求項４】
前記流路圧縮手段は、前記体液流路を前記導入口側から前記通過阻止手段側に向かって徐々に圧縮するよう作動する請求項１ないし３のいずれかに記載の成分測定装置。
【請求項５】
前記流路圧縮手段は、前記体液流路の外周部に当接する当接部材と、該当接部材を押圧する押圧ピンを有する押圧機構とを備えている請求項４に記載の成分測定装置。
【請求項６】
前記当接部材は、前記体液流路の長手方向に対して傾斜した傾斜面を有しており、前記押圧ピンが前記傾斜面に当接しつつ押圧する請求項５に記載の成分測定装置。
【請求項７】
前記流路圧縮手段は、前記支持部に片持支持され、並列に配置された弾性を有する２枚の板部材をさらに有し、前記当接部材は、前記２枚の板部材の間に位置し、該各板部材の自由端付近に支持されている請求項５または６に記載の成分測定装置。
【請求項８】
前記流路圧縮手段は、体液が前記導入口から導入され、前記体液流路の前記通過阻止手段によって体液の通過が阻止される部分に到達したときに、始動する請求項１ないし７のいずれかに記載の成分測定装置。
【請求項９】
前記導入口から導入された体液が、前記体液流路の前記通過阻止手段によって阻止される部分に到達したか否かを検出する体液到達検出手段を有する請求項１ないし８のいずれかに記載の成分測定装置。
【請求項１０】
前記成分検出部は、前記所定成分と反応して呈色する試薬を担持する試験紙で構成されており、
前記測定手段は、光を前記試験紙に向けて発する発光部と、該発光部からの光が前記試験紙で反射した反射光を受光する測定側受光部とを有し、
前記体液到達検出手段は、光を受光する到達検出側受光部を有し、該到達検出側受光部に対する光源として前記発光部を用いる請求項９に記載の成分測定装置。
【請求項１１】
前記体液流路の流出口と前記成分検出部とは、互いに隣接しており、これらの境界部付近に、前記通過阻止手段が配置されている請求項１ないし１０のいずれかに記載の成分測定装置。
【請求項１２】
前記通過阻止手段は、前記体液流路の内周面に設けられ、体液に対し撥水性を有する撥水層で構成されている請求項１ないし１１のいずれかに記載の成分測定装置。
【請求項１３】
前記体液採取具は、前記設置部に着脱自在に装着されるよう構成されている請求項１ないし１２のいずれかに記載の成分測定装置。
【発明の詳細な説明】
【技術分野】
【０００１】
本発明は、成分測定装置に関する。
【背景技術】
【０００２】
血糖値の測定を行う血糖測定装置（血中成分測定装置）が知られている。この血糖測定装置は、血中のブドウ糖量に応じて呈色する試験紙に血液（検体）を供給・展開し、試験紙の呈色の度合いを光学的に測定（測色）して血糖値を定量化するものである。
【０００３】
このような従来の血糖測定装置では、成分測定用チップを装着して、その成分測定用チップから血液を採取する。採取された血液は、成分測定用チップに設置されている試験紙に吸収される。この試験紙の測色は、発光素子および受光素子を備える測光部において、試験紙に光を照射しその反射光の強度を測定することにより行われている。
【０００４】
成分測定用チップ（血液検査具）としては、板状のチップ本体（支持部）と、チップ本体の一方の面側に設置された試験紙（テストマトリックス層）と、チップ本体の他方の面に突出形成された細管（毛管チューブ）とを有している（例えば、特許文献１参照）。このような成分測定用チップを血糖測定装置に装着した状態で、細管の先端に血液を接触させると、毛細管現象により血液は細管内に吸引されて、試験紙へ到達する（供給される）。
【０００５】
しかしながら、前記成分測定用チップでは、血液の流出量によっては、当該血液が過剰に試験紙に供給されたり、血糖値を測定するのに充分な程度に血液が試験紙に供給されなかったりする、すなわち、血液を安定して（一定に）試験紙に供給することができなかった。このため、測定する血糖値にバラツキが生じていた。
【０００６】
【特許文献１】特表２００１−５２７２１６号公報
【発明の開示】
【発明が解決しようとする課題】
【０００７】
本発明の目的は、体液を成分検出部に過不足なく供給することができる成分測定装置を提供することにある。
【課題を解決するための手段】
【０００８】
このような目的は、下記（１）〜（１３）の本発明により達成される。
（１）  体液の導入口と流出口とを有し、前記導入口から導入された体液が通過する管状の体液流路と、該体液流路を通過し前記流出口から流出する体液が供給され、該体液中の所定成分を検出する成分検出部と、前記体液流路および前記成分検出部をそれぞれ支持する支持部と、前記体液流路の流出口付近に設けられ、該体液流路に流入した体液の通過を一時的に阻止する通過阻止手段とを有する体液採取具と、
前記体液採取具が設置される設置部と、
前記成分検出部で検出された前記所定成分の量および／または性質を測定する測定手段と、
前記体液流路の少なくとも前記導入口と体液が前記通過阻止手段によって阻止される部分との間を、前記体液流路の径方向に圧縮する流路圧縮手段とを備えることを特徴とする成分測定装置。
【０００９】
（２）  前記流路圧縮手段の作動により、前記体液流路内の体液が、該体液流路の体液が前記通過阻止手段によって阻止される部分を超えて前記成分検出部に供給されるよう構成されている上記（１）に記載の成分測定装置。
【００１０】
（３）  前記体液流路は、変形可能な管体で構成されている上記（１）または（２）に記載の成分測定装置。
【００１１】
（４）  前記流路圧縮手段は、前記体液流路を前記導入口側から前記通過阻止手段側に向かって徐々に圧縮するよう作動する上記（１）ないし（３）のいずれかに記載の成分測定装置。
【００１２】
（５）  前記流路圧縮手段は、前記体液流路の外周部に当接する当接部材と、該当接部材を押圧する押圧ピンを有する押圧機構とを備えている上記（４）に記載の成分測定装置。
【００１３】
（６）  前記当接部材は、前記体液流路の長手方向に対して傾斜した傾斜面を有しており、前記押圧ピンが前記傾斜面に当接しつつ押圧する上記（５）に記載の成分測定装置。
【００１４】
（７）  前記流路圧縮手段は、前記支持部に片持支持され、並列に配置された弾性を有する２枚の板部材をさらに有し、前記当接部材は、前記２枚の板部材の間に位置し、該各板部材の自由端付近に支持されている上記（５）または（６）に記載の成分測定装置。
【００１５】
（８）  前記流路圧縮手段は、体液が前記導入口から導入され、前記体液流路の前記通過阻止手段によって体液の通過が阻止される部分に到達したときに、始動する上記（１）ないし（７）のいずれかに記載の成分測定装置。
【００１６】
（９）  前記導入口から導入された体液が、前記体液流路の前記通過阻止手段によって阻止される部分に到達したか否かを検出する体液到達検出手段を有する上記（１）ないし（８）のいずれかに記載の成分測定装置。
【００１７】
（１０）  前記成分検出部は、前記所定成分と反応して呈色する試薬を担持する試験紙で構成されており、
前記測定手段は、光を前記試験紙に向けて発する発光部と、該発光部からの光が前記試験紙で反射した反射光を受光する測定側受光部とを有し、
前記体液到達検出手段は、光を受光する到達検出側受光部を有し、該到達検出側受光部に対する光源として前記発光部を用いる上記（９）に記載の成分測定装置。
【００１８】
（１１）  前記体液流路の流出口と前記成分検出部とは、互いに隣接しており、これらの境界部付近に、前記通過阻止手段が配置されている上記（１）ないし（１０）のいずれかに記載の成分測定装置。
【００１９】
（１２）  前記通過阻止手段は、前記体液流路の内周面に設けられ、体液に対し撥水性を有する撥水層で構成されている上記（１）ないし（１１）のいずれかに記載の成分測定装置。
【００２０】
（１３）  前記体液採取具は、前記設置部に着脱自在に装着されるよう構成されている上記（１）ないし（１２）のいずれかに記載の成分測定装置。
【発明の効果】
【００２１】
本発明によれば、体液流路内、すなわち、導入口と体液が通過阻止手段によって阻止される部分との間に、所定量（成分測定に充分な程度の量）の体液を一旦（一時的に）蓄えることができる。この状態で、流路圧縮手段を作動させることにより、体液流路内の血液が所定量、すなわち、過不足なく成分検出部に供給される。これにより、成分検出部で検出された体液の所定成分の量および／または性質を正確に測定することができる。
【００２２】
また、流路圧縮手段が体液流路を導入口側から通過阻止手段側に向かって徐々に圧縮するよう作動する場合には、体液流路内の血液が逆流するのが防止され、よって、当該血液を確実に過不足なく成分検出部に供給することができる。
【発明を実施するための最良の形態】
【００２３】
以下、本発明の成分測定装置を添付図面に示す好適な実施形態に基づいて詳細に説明する。
【００２４】
＜第１実施形態＞
図１は、本発明の成分測定装置の第１実施形態を示す縦断面図、図２〜図４は、それぞれ、図１に示す成分測定装置の体液採取具付近の拡大詳細図（成分測定装置の動作状態を順に示す図）、図５および図６は、それぞれ、図１に示す成分測定装置の体液採取具の斜視図、図７は、図５に示す体液採取具を矢印Ａ側から見た図、図８は、図１に示す成分測定装置のブロック図である。なお、以下では、説明の都合上、図１〜図７中（図９も同様）の右側を「基端」、左側を「先端」と言い、上側を「上」または「上方」、下側を「下」または「下方」と言う。
【００２５】
図１（図２〜図４も同様）に示す成分測定装置１は、装置本体２と、装置本体２に着脱自在に装着される成分測定用チップ（体液採取具（以下、単に「チップ」と言う））３とを有している。この成分測定装置１は、体液中の所定成分を測定するものである。体液は、例えば表皮（皮膚）を介して採取することができるものである。表皮の前記体液の採取に関与する部位（体液採取部位）は、好ましくは指であるが、この他、例えば、手（手の平、手の甲、手の側部）、腕、大腿、耳たぶ等であってもよい。以下では、体液として血液を、所定成分としてブドウ糖を、体液採取部位として指先（指）を、それぞれ代表に説明する。
【００２６】
まず、チップ３について説明する。
図１〜図４に示すように、チップ３は、有底筒状をなすチップ本体（支持部）３１と、チップ本体３１の底部３１１から先端方向に突出して設けられたチューブ（管体）３２と、チップ本体３１の内側（底部３１１）に設置された試験紙（成分検出部）３３と、チューブ３２の外周面（外周部）３２１に当接する当接部材３４と、当接部材３４を支持する２枚の板バネ（板部材）３５とを有している。
【００２７】
チップ本体３１は、後述する成分測定装置１の装着部（設置部）２１に着脱自在に装着される部位である。チップ３が成分測定装置１に対して着脱自在であることにより、使用済のチップ３を取り外し、未使用のチップ３を装着して、当該チップ３を使用することができる。すなわち、使用済のチップ３と未使用のチップ３とを交換して、血糖値の測定を行なうことができる。
【００２８】
チップ本体３１は、その外形形状がほぼ円柱状をなすものである。
チップ本体３１は、チューブ３２に当接する補助当接部３１２を有している。この補助当接部３１２は、その横断面形状がほぼ半円状をなし、底部３１１に先端方向に向かって突出形成されている。
【００２９】
また、補助当接部３１２には、上方（外方）に向かって開口した貫通孔３１３が形成されている。この貫通孔３１３は、チップ３が成分測定装置１に装着された状態（以下、この状態を「装着状態」と言うことがある）で、装置本体２（成分測定装置１）が有する到達検出側受光部５１と対応する位置に形成されている。このような貫通孔３１３は、装置本体２が有する発光部４１からのパルス光Ｌ１（透過光Ｌ３）が通過する光路として機能する（図２参照）。
【００３０】
また、チップ本体３１の外周部には、その上側の部分に、２本のガイドレール３１４が形成されている。これらのガイドレール３１４は、それぞれ、チップ本体３１の中心軸方向に沿って形成されており、互いに平行に配置されている。
【００３１】
このようなガイドレール３１４が形成されていることにより、チップ３を装置本体２に装着する際、各ガイドレール３１４がそれぞれ装置本体２のガイド溝２２に沿って摺動するため、その操作（装着操作）を円滑に行なうことができる。
【００３２】
また、チップ３の装置本体２に対する位置決めがなされる、すなわち、装着方向（図１中の上下方向）が一定となる。これにより、装着状態で、例えば、チップ３の貫通孔３１３が到達検出側受光部５１に確実に対応する（対向する）こととなったり、当接部材３４が後述する押圧機構６に確実に押圧されたりすることができる。換言すれば、成分測定装置１が正常に作動することができる。
【００３３】
チップ本体３１の底部３１１には、中心部に支持されたチューブ３２が設置されている。このチューブ３２は、その内腔部（中空部）が血液が通過する体液流路を構成するものである。このチューブ３２では、先端側の開口が血液を導入する導入口３２２として機能し、基端側の開口が血液が試験紙３３に向かって流出する流出口（出口）３２３として機能する。このチューブ３２の導入口３２２に血液を接触させると、毛細管現象により血液はチューブ３２内に吸引される。
【００３４】
チューブ３２の構成材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。チューブ３２がこのような弾性材料で構成されている場合には、チューブ３２が容易に変形するものとなり、よって、チューブ３２をその径方向に容易かつ確実に圧縮することができる（図３、図４参照）。
【００３５】
また、チューブ３２の内径は、特に限定されないが、例えば、０．１〜１ｍｍであるのが好ましく、０．４〜０．６ｍｍであるのがより好ましい。
【００３６】
また、チップ本体３１の底部３１１の中心部には、チューブ３２の流出口３２３に隣接した試験紙３３が設置せれて（支持されて）いる。この試験紙３３は、チューブ３２を通過した血液中のブドウ糖を検出するものである。
【００３７】
試験紙３３の全体形状は、円形が好ましいが、これに限定されず、その他例えば、楕円形、正方形、長方形、菱形等の四角形、三角形、六角形、八角形等、必要に応じ選択して用いることができる。
【００３８】
このような試験紙３３は、血液を吸収し得る担体に、試薬（発色試薬）を担持（含浸）させたものである。この担体は、好ましくは多孔質シートで構成されている。
【００３９】
多孔質シートによる担体を用いることにより、含浸させる試薬が特にオキシダーゼ反応のように酸素を用いる過程を含む試薬系の場合に、血液が試験紙３３上に展開後、大気中の酸素の十分な供給が確保されるので、反応を迅速に進行させることができ、よって、血液またはその濾別成分（赤血球等）を除去することなく発色状態を検出することができる。
【００４０】
多孔質シートによる担体としては、不織布、織布、延伸処理したシート、メンブランフィルター、濾紙等が挙げられる。また、その構成材料としては、例えば、ポリエステル類、ポリアミド類、ポリオレフィン類、ポリスルホン類、セルロース類、珪酸塩、フッ素系樹脂等が挙げられる。より具体的には、例えば、ポリエチレンテレフタレート、ポリブチレンテレフタレート、ポリエーテルスルホン、ニトロセルロース、セルロース、ガラス、ポリテトラフルオロエチレン（テフロン：「テフロン」は登録商標）等が挙げられる。
【００４１】
このような担体の構成材料は、試薬を溶解した水溶液を含浸させて製造されたものや、血液の吸収、展開を迅速に行うために、親水性を有する材料または親水化処理されたものが好ましい。
【００４２】
試験紙３３に担持される試薬としては、血糖値測定用の場合、グルコースオキシターゼ（ＧＯＤ）と、ペルオキシターゼ（ＰＯＤ）と、例えば４−アミノアンチピリン、Ｎ−エチル−Ｎ−（２−ヒドロキシ−３−スルホプロピル）−ｍ−トルイジンのような発色剤（発色試薬）とが挙げられ、その他、測定成分に応じて、例えばアスコルビン酸オキシダーゼ、アルコールオキシダーゼ、コレステロールオキシダーゼ等の血液成分と反応するものと、前記と同様の発色剤（発色試薬）とが挙げられる。また、さらにリン酸緩衝液のような緩衝剤が含まれていてもよい。なお、試薬の種類、成分については、これらに限定されないことは言うまでもない。
【００４３】
チップ本体３１の底部３１１よりも先端側には、チューブ３２を介して補助当接部３１２と対向配置された当接部材３４が設置されている。成分測定装置１では、当接部材３４と補助当接部３１２との間で、チューブ３２を圧縮する（変形させる）ことができる（図３および図４参照）。
【００４４】
当接部材３４は、ブロック体で構成されたものであり、チューブ３２の外周面３２１に当接する当接面３４１と、当接面３４１に対して傾斜した傾斜面３４２とを有している。
【００４５】
当接面３４１は、図１（図２も同様）に示す状態や図４に示す状態では、チューブ３２の長手方向と平行な姿勢をとっている。ここで、図１（図２も同様）に示す状態は、装置本体２が有する押圧機構６が作動していない状態であり、図４に示す状態は、前記押圧機構６が作動しきった（作動が完了した）状態である。
【００４６】
当接部材３４の当接面３４１が臨む方向と反対側には、傾斜面３４２が配置されている。この傾斜面３４２は、平面で構成され、装着状態（図１に示す状態）で、押圧機構６側（右側下方）に臨んでいる。
【００４７】
チップ本体３１の底部３１１には、チューブ３２の突出方向と同方向に突出した２枚の板バネ３５が底部３１１と一体的に形成されている。これらの板バネ３５は、当接部材３４を介して、並列に配置されている。
【００４８】
各板バネ３５は、それぞれ、その基端が底部３１１に支持されている、すなわち、底部３１１に片持支持されている。
【００４９】
また、各板バネ３５は、それぞれ、自由端（先端）付近に、当接部材３４に向かって形成された腕部３５１を有している（図７参照）。各板バネ３５の腕部３５１によって、当接部材３４は、その側面３４５が支持されている。
【００５０】
このような構成のチップ３では、チップ本体３１と各板バネ３５と当接部材３４とが一体的に形成されているのが好ましい。この場合、チップ本体３１（各板バネ３５および当接部材３４を含む）の構成材料としては、特に限定されないが、例えば、ＡＢＳ樹脂、ポリエチレン、ポリプロピレン、ポリスチレン、ポリ塩化ビニル、ポリ塩化ビニリデン樹脂、ポリフェニレンオキサイド、熱可塑性ポリウレタン、ポリメチルメタクリレート、ポリオキシエチレン、フッ素樹脂、ポリカーボネート、ポリアミド、アセタール樹脂、アクリル樹脂、ポリエチレンテレフタレート等の熱可塑性樹脂や、フェノール樹脂、エポキシ樹脂、シリコーン樹脂、不飽和ポリエステル等の熱硬化性樹脂等が挙げられる。
【００５１】
さて、図１〜図４に示すように、チップ３では、チューブ３２の流出口３２３と試験紙３３との境界部付近、すなわち、チューブ３２の内周面の流出口３２３付近に、撥水層（疎水層）３６が設けられている。
【００５２】
撥水層３６は、血液に対し撥水性を有するものである。この撥水層３６の形成は、チューブ３２の内周面の流出口３２３付近に疎水化処理を施すことによって行なうことができる。この疎水化処理としては、例えば、ポリテトラフルオロエチレン（ＰＴＦＥ）、エチレン−テトラフルオロエチレン共重合体等のフッ素系樹脂等の撥水性材料（疎水性材料）で構成された被膜の形成等が挙げられる。
【００５３】
このような撥水層３６が形成されていることにより、導入口３２２を介してチューブ３２に流入した血液は、当該チューブ３２の途中で、すなわち、撥水層３６で、チューブ３２を通過する（試験紙３３側に向かう）のが一時的に阻止される。従って、撥水層３６は、チューブ３２に流入した血液の通過を一時的に阻止する通過阻止手段として機能するものである。
【００５４】
また、このようにチューブ３２の通過が阻止された血液、すなわち、チューブ３２に充填された（滞留した）血液は、押圧機構６によってチューブ３２が圧縮されるまで、試験紙３３に供給されるのが防止されることとなる。
【００５５】
また、撥水層３６がチューブ３２の流出口３２３付近に位置していることにより、チューブ３２内の血液が試験紙３３の近傍にまで到達して停止することとなる。これにより、その後の、すなわち、押圧機構６の作動後に、試験紙３３への血液の供給を迅速に行なうことができる。
【００５６】
また、チューブ３２の内面は、血液の流動（通過）を良くするために、撥水層３６を除く部分に、親水化処理（例えば、界面活性剤等の親水性コート）を施してもよい。
【００５７】
次に、装置本体２について説明する。
図１（図２〜図４も同様）に示すように、装置本体２の先端部には、凹部２３が形成されえている。この凹部２３の底部には、チップ３が装着される（設置される）装着部２１が設けられている。
【００５８】
この装着部２１は、その形状が円柱状をなすものであり、装着状態で、チップ本体３１に嵌合する。これにより、チップ３が装置本体２から不本意に離脱するのが防止される。
【００５９】
また、装着状態のチップ３を先端方向に移動させることにより、チップ３（チップ本体３１）と装着部２１との嵌合が解除される。これにより、チップ３を装置本体２から取り出す（取り外す）ことができる。
【００６０】
装着部２１には、その先端に開口する凹部（中空部）で構成された、測定手段４の発光部４１および測定側受光部４２が設置される測定手段設置部２１１が形成されている。
【００６１】
また、装置本体２の凹部２３には、電源ボタン２４が設置されている。この電源ボタンは、装着部２３に隣接して配置されており、装着状態でチップ３に押圧される。電源ボタン２４の押圧／解除（押圧解除）により、装置本体２の電源スイッチをオン／オフすることができる。
【００６２】
図８に示すように、装置本体２には、マイクロコンピュータで構成される制御手段１０が設置されている。この制御手段１０は、成分測定装置１の諸動作を制御する。この制御手段１０には、測定手段４からの信号に基づいて目的とするブドウ糖を算出する演算部が内蔵されている。
【００６３】
測定手段４は、発光部（発光ダイオード）４１と、測定側受光部（フォトダイオード）４２とを有している。発光部４１および測定側受光部４２は、前述したように、それぞれ、測定手段設置部２１１に設置されて（収納、保持されて）いる。発光部４１は、チューブ３２の延長線上に配置されている。測定側受光部４２は、発光部４１の光軸に対して、所定角度（例えば、３０度）傾斜した（回転した）位置に配置されている。
【００６４】
発光部４１は、制御手段１０と電気的に接続され、測定側受光部４２は、図示しない増幅器およびＡ／Ｄ変換器４４を介して制御手段１０と電気的に接続されている。
【００６５】
発光部４１は、制御手段１０からの信号により作動し、所定の時間間隔でパルス光Ｌ１を発する。このパルス光Ｌ１は、例えば、その周期が０．５〜３．０ｍｓｅｃ程度、１パルスの発光時間が０．０５〜０．３ｍｓｅｃ程度とされる。また、このパルス光Ｌ１の波長は、好ましくは５００〜７２０ｎｍ程度、より好ましくは５８０〜６５０ｎｍ程度とされる。
【００６６】
装着状態で、発光部４１を点灯させると、発光部４１から発せられたパルス光Ｌ１は試験紙３３に照射され、その反射光Ｌ２は、測定側受光部４２に受光され、光電変換される（図２参照）。測定側受光部４２からは、その受光光量に応じたアナログ信号が出力され、所望に増幅された後、Ａ／Ｄ変換器４４にてデジタル信号に変換され、制御手段１０に入力される。制御手段１０では、前記演算部で、このデジタル信号に基づいてブドウ糖を算出する、すなわち、ブドウ糖の量および／または性質を測定する。この算出された値（血糖値）を液晶表示装置（ＬＣＤ）１１で表示する。
【００６７】
また、図８に示すように、成分測定装置１は、電源部１２、スイッチ回路１３、制御発振部１４、データ記憶部１５を有している。
【００６８】
電源部１２には、電池（図示せず）が装填される。これにより、装置本体２の各部位へ電力を供給することができる。
【００６９】
スイッチ回路１３は、以下のような種々のスイッチの入力を検出し、その信号を制御手段１０へ入力する。スイッチの種類としては、例えば、電源スイッチ、記憶データ読出スイッチ、時刻設定・変更スイッチ、リセットスイッチ、ブザー作動／不作動選択スイッチ等が挙げられる。
【００７０】
電源スイッチは、前述したように、電源ボタン２４の押圧／解除（押圧解除）により、オン／オフすることができる。また、その他のスイッチは、図示しない複数のボタンのうちのいずれか１つまたは２つ以上を組み合わせて操作することにより作動させることができる。
【００７１】
制御発振部１４は、タイマーを構成するもので、一定時間間隔のクロックパルスを発振し、制御手段１０のマイクロコンピュータ（マイクロプロセッシングユニット：ＭＰＵ）の動作用基準信号の供給を行う。
【００７２】
データ記憶部１５は、第１メモリー（ＲＡＭ）、第２メモリー（ＲＯＭ）および第３メモリー（不揮発性ＲＡＭ）を備えている。測定手段４より入力された測光値（測光データ）は、所定のフォーマットに従って第１メモリーに記憶される。また、第２メモリーには、測光値から求められた吸光度と、血糖値との関係（検量線）が予めテーブル化されて記憶されている。第３メモリーには、個々の装置ごとに固有の校正値が予め記憶されている。
【００７３】
また、装置本体２には、体液到達検出手段５が設置されている。この体液到達検出手段５は、チューブ３２の導入口３２２から導入された血液が、チューブ３２内の撥水層３６（通過阻止手段によって阻止される部分）に到達したか否かを検出するものである。以下、この検出を「血液検出」と言う。
【００７４】
体液到達検出手段５は、光を受光する到達検出側受光部（フォトダイオード）５１を有している。この到達検出側受光部５１は、装着状態のチップ３の貫通孔３１３の上方（延長線上）に設けられた凹部（受光部設置部）２５に、設置されている。
【００７５】
図２に示すように、到達検出側受光部５１に対する光源として、成分測定装置１では、測定手段４の発光部４１を用いている。このように発光部４１を測定手段４と体液到達検出手段５とで共有していることにより、到達検出側受光部５１のみに対する発光部を別途設置するのが省略され、よって、成分測定装置１（装置本体）構成を簡単なものとすることができる。
【００７６】
到達検出側受光部５１は、図示しない増幅器およびＡ／Ｄ変換器４４を介して制御手段１０と電気的に接続されている。制御手段１０は、到達検出側受光部５１からの信号に基づいて、血液検出を行なう。
【００７７】
具体的には、発光部４１を点灯させると、発光部４１から発せられたパルス光Ｌ１は、その一部が、試験紙３３を介してチューブ３２内に入射する。血液が撥水層３６まで到達している（チューブ３２内に血液が充填されている）場合には、チューブ３２に入射した光（入射光（透過光Ｌ３））は、血液で乱反射することとなり、その一部が貫通孔３１３を介して、到達検出側受光部５１に到達し、すなわち、到達検出側受光部５１で受光され、光電変換される。到達検出側受光部５１からは、その受光光量に応じたアナログ信号が出力され、所望に増幅された後、Ａ／Ｄ変換器４４にてデジタル信号に変換され、制御手段１０に入力される（図８参照）。また、血液が撥水層３６まで到達していない場合には、チューブ３２に入射した光は、当該チューブ３２を介して導入口３２２から出射することとなり、到達検出側受光部５１では、透過光Ｌ３は、ほとんど（または全く）受光されない。このように、血液が撥水層３６まで到達しているか否かによって、到達検出側受光部５１での受光量が変化する（減少する）。この受光量の変化を利用して、血液検出が行なわれる。
【００７８】
このような制御により、血液検出を確実に行なうことができる。血液検出が行なわれた場合には、チューブ３２内に、血液が導入口３２２から撥水層３６まで確実に充填されたこととなる。この状態で、押圧機構６を作動させれば、試験紙３３に確実に所定量の、すなわち、過不足なく血液を供給すことができる。
【００７９】
図１（図２〜図４も同様）に示すように、装置本体２の凹部２３の内周部は、その一部（図１に示す構成では、下部）がチップ３の当接部材３４の傾斜面３４２に対向した傾斜面２３１を有している。この傾斜面２３１には、柱状（例えば、円柱状）をなす凹部（押圧ピン収納部）２３２が形成されている。
【００８０】
凹部２３２には、押圧ピン６１が収納されている。この押圧ピン６１は、それを駆動する駆動部（図示せず）の作動により、凹部２３２を摺動する（移動する）ことができる（図２〜図４参照）。これにより、押圧ピン６１は、凹部２３２から突出したり、没入したりすることができ、凹部２３２から突出すると、チップ３の当接部材３４（傾斜面３４２）を押圧する（図３、図４参照）。
【００８１】
押圧ピン６１は、凹部２３２に対応した形状、すなわち、円柱状をなすものである。この押圧ピン６１の頂面６１１は、平面で構成されている。また、頂面６１１は、当接部材３４の傾斜面３４２に対向している。
【００８２】
なお、押圧ピン６１の構成材料としては、特に限定されないが、例えば、各種金属材料や各種プラスチック等を単独または組み合わせて用いることができる。
【００８３】
また、頂面６１１には、当接部材３４（傾斜面３４２）との摩擦を低減する摩擦低減処理が施されていてもよい。これにより、頂面６１１が摩擦によって磨耗するのを防止または抑制することができる。なお、摩擦低減処理とてしては、特に限定さえないが、例えば、フッ素コートが挙げられる。
【００８４】
また、駆動部としては、特に限定されないが、例えば、コンプレッサやソレノイドで構成されたものを挙げることができる。
【００８５】
このように、成分測定装置１では、押圧ピン６１と、それを駆動する駆動部とにより、チップ３の当接部材３４を押圧する押圧機構６が構成されている。
【００８６】
次に、この押圧機構６およびチップ３の作動状態について説明する。
まず、図２に示す状態では、押圧機構６の押圧ピン６１は、凹部２３２に最も没入した状態となっており、チップ３の当接部材３４から離間している。
【００８７】
また、チップ３では、チューブ３２が変形していない、すなわち、導入口３２２から流出口３２３に渡って連通している。
【００８８】
図２に示す状態から、押圧機構６が作動する、すなわち、押圧ピン６１が突出すると、当該押圧ピン６の頂面６１１は、その全体が一旦チップ３の当接部材３４の傾斜面３４２に当接する。さらに押圧ピン６１が突出すると、板バネ３５が撓む。このため、押圧ピン６の頂面６１１と当接部材３４の傾斜面３４２との間に、一部（図３の構成では、傾斜面３４２の下方に）、間隙が生じることとなる（図３参照）。
このような図３に示す状態で、チューブ３２は、導入口３２２側がまず圧縮される。
【００８９】
図３に示す状態からさらに押圧ピン６１の突出（押圧）が進行すると、板バネ３５の腕部３５１が捩れ、当接部材３４は、そのチューブ３２の導入口３２２側（当接面３４１の先端部）を中心として、反時計回りに回動する。
【００９０】
これにより、チューブ３２は、導入口３２２側から流出口３２３（撥水層３６）側に向かって徐々に圧縮され、押圧ピン６１が最大に突出すると、遂には、導入口３２２から流出口３２３に渡って圧縮される（図４参照）。
【００９１】
このように、成分測定装置１では、当接部材３４と、それを支持する板バネ３５と、当接部材３４を押圧する押圧機構６とで、チューブ３２をその径方向に圧縮する流路圧縮手段７が構成されていると言うことができる。
【００９２】
また、成分測定装置１では、この流路圧縮手段７の作動により、チューブ３２内、すなわち、導入口３２２から撥水層３６まで血液が満たされている場合（図２に示す状態）、その血液は、そのほぼ全部が撥水層３６を超えて（基端側に押し出されて）試験紙３３に供給されることとなる（図４に示す状態）。
【００９３】
以上のような構成により、成分測定装置１では、チューブ３２内（導入口３２２と撥水層３６との間）に所定量（成分測定に充分な程度の量）の血液を一旦（一時的に）蓄えることができる。この状態で、流路圧縮手段７を作動させることにより、前述したように、チューブ３２内の血液が所定量、すなわち、過不足なく試験紙３３に供給される。これにより、血糖値を正確に測定することができる。
【００９４】
また、流路圧縮手段７の作動が開始されるタイミングは、導入口３２２から導入された血液がチューブ３２の撥水層３６に到達したとき、すなわち、体液到達検出手段５によって血液検出が行なわれたときである。このように流路圧縮手段７が始動することにより、血液をチューブ３２内に確実に所定量（過不足なく）充填することができる。
【００９５】
また、流路圧縮手段７のチューブ３２に対する圧縮が解除されるタイミングは、例えば、血糖値の測定が完了（終了）した後である。
【００９６】
＜第２実施形態＞
図９は、本発明の成分測定装置の第２実施形態を示す縦断面図である。
【００９７】
以下、この図を参照して本発明の成分測定装置の第２実施形態について説明するが、前述した実施形態との相違点を中心に説明し、同様の事項はその説明を省略する。
【００９８】
本実施形態は、通過阻止手段の構成が異なること以外は前記第１実施形態と同様である。
【００９９】
図９に示す成分測定装置１Ａでは、チューブ３２の流出口３２３と試験紙３３との間に、間隙（ギャップ）３７が形成されている。これにより、導入口３２２から導入した血液の流れが流出口３２３で一時的に停止する（阻止される）。
【０１００】
このように間隙３７は、血液がチューブ３２に流入した際、前記第１実施形態の撥水層３６と同様に、チューブ３２に流入した血液の通過を一時的に阻止する通過阻止手段としての機能を発揮する。
【０１０１】
以上、本発明の成分測定装置を図示の実施形態について説明したが、本発明は、これに限定されるものではなく、成分測定装置を構成する各部は、同様の機能を発揮し得る任意の構成のものと置換することができる。また、任意の構成物が付加されていてもよい。
【０１０２】
また、チューブは、弾性変形するものであるのに限定されず、塑性変形するもの（例えば、アルミニウムで構成されたもの）であってもよい。
【０１０３】
また、体液到達検出手段（到達検出側受光部）は、省略されてもよい。この場合、血液検出を目視で行ない、その後、流路圧縮手段を作動させればよい。
【０１０４】
また、流路圧縮手段は、当接部材と板バネと当接部材を押圧する押圧機構とで構成されたものであるのに限定されず、例えば、チューブの長手方向に沿って回転するローラで構成されたものであってもよい。
【０１０５】
また、押圧ピンの頂面は、平面であるのに限定されず、例えば、鋭利なもの、丸みを帯びたものであってもよい。
【図面の簡単な説明】
【０１０６】
【図１】本発明の成分測定装置の第１実施形態を示す縦断面図である。
【図２】図１に示す成分測定装置の体液採取具付近の拡大詳細図（成分測定装置の動作状態を順に示す図）である。
【図３】図１に示す成分測定装置の体液採取具付近の拡大詳細図（成分測定装置の動作状態を順に示す図）である。
【図４】図１に示す成分測定装置の体液採取具付近の拡大詳細図（成分測定装置の動作状態を順に示す図）である。
【図５】図１に示す成分測定装置の体液採取具の斜視図である。
【図６】図１に示す成分測定装置の体液採取具の斜視図である。
【図７】図５に示す体液採取具を矢印Ａ側から見た図である。
【図８】図１に示す成分測定装置のブロック図である。
【図９】本発明の成分測定装置の第２実施形態を示す縦断面図である。
【符号の説明】
【０１０７】
１、１Ａ      成分測定装置
２            装置本体
２１          装着部（設置部）
２１１        測定手段設置部
２２          ガイド溝
２３          凹部
２３１        傾斜面
２３２        凹部（押圧ピン収納部）
２４          電源ボタン
２５          凹部（受光部設置部）
３            チップ（成分測定用チップ（体液採取具））
３１          チップ本体（支持部）
３１１        底部
３１２        補助当接部
３１３        貫通孔
３１４        ガイドレール
３２          チューブ（管体）
３２１        外周面（外周部）
３２２        導入口
３２３        流出口（出口）
３３          試験紙（成分検出部）
３４          当接部材
３４１        当接面
３４２        傾斜面
３４５        側面
３５          板バネ（板部材）
３５１        腕部
３６          撥水層（疎水層）
３７          間隙（ギャップ）
４            測定手段
４１          発光部（発光ダイオード）
４２          測定側受光部（フォトダイオード）
４４          Ａ／Ｄ変換器
５            体液到達検出手段
５１          到達検出側受光部（フォトダイオード）
６            押圧機構
６１          押圧ピン
６１１        頂面
７            流路圧縮手段
１０          制御手段
１１          液晶表示装置（ＬＣＤ）
１２          電源部
１３          スイッチ回路
１４          制御発振部
１５          データ記憶部
Ｌ１          パルス光
Ｌ２          反射光
Ｌ３          透過光
【図１】
2008082898.tif 000003
【図２】
2008082898.tif 000004
【図３】
2008082898.tif 000005
【図４】
2008082898.tif 000006
【図５】
2008082898.tif 000007
【図６】
2008082898.tif 000008
【図７】
2008082898.tif 000009
【図８】
2008082898.tif 000010
【図９】
2008082898.tif 000011